【手続補正書】
【提出日】平成26年2月15日(2014.2.15)
【手続補正１】
【補正対象書類名】特許請求の範囲
【補正対象項目名】全文
【補正方法】変更
【補正の内容】
【特許請求の範囲】
【請求項１】
患者看護について教示するシステムであって、
患者シミュレータであって、
１若しくはそれ以上のシミュレートされた身体部分を有する患者身体を有し、
前記１若しくはそれ以上のシミュレートされた身体部分は、自然な指を模倣するサイズおよび形状の少なくとも１つのシミュレートされた指を含み、当該少なくとも１つのシミュレートされた指は、
パルスオキシメーターと連動して前記患者シミュレータの酸素飽和度をシミュレートするものであり、
当該指の第１の側において、前記パルスオキシメーターから第１の波長の光を受光する第１のセンサーと、
当該指の前記第１の側において、前記パルスオキシメーターから第２の波長の光を受光する第２のセンサーと、
前記第１および第２の波長で当該指の第２の側に向かって光を生成して前記患者シミュレータの前記酸素飽和度をシミュレートする少なくとも１つの発光部であって、当該指の第２の側は前記第１の側と対向するものである、前記少なくとも１つの発光部と、
当該指の前記第２の側の外面を形成する可塑性シリコン材料の層であって、前記少なくとも１つの発光部により生成された前記光は、自然な指を模倣するように、当該可塑性シリコン材料の層を通過して当該可塑性シリコン材料の層により形成された前記外面から均一的に伝達されるものである、前記可塑性シリコン材料の層と
を含むものであり、
前記少なくとも１つの発光部は処理ユニットと通信するものであり、当該処理ユニットは、前記少なくとも１つの発光部により前記第１および第２の波長で生成される光の量を制御して前記患者シミュレータの前記酸素飽和度をシミュレートするように構成されており、
前記処理ユニットは、前記少なくとも１つの発光部により生成される前記光の量を較正して当該光の量が前記パルスオキシメーターの設定に適合するようにプログラム可能であり、それにより、前記パルスオキシメーターによって測定される前記患者シミュレータのシミュレートされた酸素飽和度が前記患者シミュレータのシミュレートされた望ましい酸素飽和度と一致するようになるものである、
前記患者シミュレータ
を有するシステム。
【請求項２】
請求項１記載のシステムにおいて、前記少なくとも１つのシミュレートされた指は、さらに、前記パルスオキシメーターと連動して前記患者シミュレータの脈拍数をシミュレートするものであるシステム。
【請求項３】
請求項１記載のシステムにおいて、前記光の第１の波長は約６３０ｎｍ〜約７００ｎｍであり、前記光の第２の波長は約８００ｎｍ〜約１０００ｎｍであるシステム。
【請求項４】
請求項１記載のシステムにおいて、前記少なくとも１つの発光部は、前記少なくとも１つのシミュレートされた指の内部で前記第１および第２のセンサーと対向する側に配置されるものであるシステム。
【請求項５】
請求項４記載のシステムにおいて、前記少なくとも１つの発光部と前記第１および第２のセンサーは、前記パルスオキシメーターから受光する前記第１および第２の波長の光を前記少なくとも１つの発光部から隔離する仕切り部により離間されるものであるシステム。
【請求項６】
請求項５記載のシステムにおいて、前記第１および第２のセンサーは前記仕切り部に取り付けられているものであるシステム。
【請求項７】
請求項１記載のシステムにおいて、前記少なくとも１つの発光部は処理ユニットと通信するものであり、当該処理ユニットは、前記少なくとも１つの発光部により前記第１および第２の波長で生成される光の量を制御して前記患者シミュレータの前記酸素飽和度をシミュレートするように構成されているものであるシステム。
【請求項８】
請求項７記載のシステムにおいて、前記処理ユニットは、前記少なくとも１つのシミュレートされた指から遠隔に配置されるものであるシステム。
【請求項９】
請求項８記載のシステムにおいて、前記処理ユニットは、前記患者シミュレータの内部に配置されるものであるシステム。
【請求項１０】
装置であって、
パルスオキシメーターと連動して患者シミュレータの酸素飽和度をシミュレートする少なくとも１つのシミュレートされた指を有し、当該少なくとも１つのシミュレートされた指は、
自然な指を模倣するサイズおよび形状に設定されているものであり、
当該指の第１の側において、前記パルスオキシメーターから第１の波長の光を受光する第１のセンサーと、
当該指の前記第１の側において、前記パルスオキシメーターから第２の波長の光を受光する第２のセンサーと、
当該指から、当該指の第２の側に隣接して配置されたパルスオキシメーターの受光部に向かって前記第１および第２の波長で光を放射する発光部であって、当該指の前記第２の側は前記第１の側と対向するものである、前記発光部と、
当該指の前記第２の側の外面を形成する可塑性シリコン材料の層であって、前記発光部から放射された前記光は、自然な指を模倣するように、当該可塑性シリコン材料の層を通過して当該可塑性シリコン材料の層により形成された前記外面から均一的に伝達され、それにより、前記パルスオキシメーターの前記受光部により受光された光が酸素飽和度をシミュレートするものである、前記可塑性シリコン材料の層と
を含むものであり、
前記発光部は処理ユニットと通信するものであり、当該処理ユニットは、前記発光部により前記第１および第２の波長で生成される光の量を制御して前記患者シミュレータの前記酸素飽和度をシミュレートするように構成されており、
前記処理ユニットは、前記発光部により生成される前記光の量を較正して当該光の量が前記パルスオキシメーターの設定に適合するようにプログラム可能であり、それにより、前記パルスオキシメーターによって測定される前記患者シミュレータのシミュレートされた酸素飽和度が前記患者シミュレータのシミュレートされた望ましい酸素飽和度と一致するようになるものである、
装置。
【請求項１１】
請求項１０記載の装置において、前記光の第１の波長は約６３０ｎｍ〜約７００ｎｍであり、前記光の第２の波長は約８００ｎｍ〜約１０００ｎｍである装置。
【請求項１２】
請求項１０記載の装置において、前記発光部は、前記少なくとも１つのシミュレートされた指の内部で前記第１および第２のセンサーと対向する側に配置されるものである装置。
【請求項１３】
請求項１２記載の装置において、前記発光部と前記第１および第２のセンサーは、前記パルスオキシメーターが前記少なくとも１つのシミュレートされた指に配置されたとき、前記パルスオキシメーターから放射される前記第１および第２の波長の光を前記パルスオキシメーターの受光部から隔離する仕切り部により離間されるものである装置。
【請求項１４】
請求項１３記載の装置において、前記第１および第２のセンサーは前記仕切り部に取り付けられているものである装置。
【請求項１５】
請求項１０記載の装置において、前記処理ユニットはユーザーインターフェースを介してプログラム可能である装置。
【請求項１６】
請求項１５記載の装置において、前記処理ユニットは、前記少なくとも１つのシミュレートされた指から遠隔に配置されるものである装置。
【請求項１７】
請求項１０記載の装置において、前記発光部は、発光ダイオードと、光ファイバーケーブルとを有するものである装置。
【請求項１８】
請求項１０記載の装置において、前記発光部により生成される前記光の量の較正は、複数の酸素飽和度レベルについて実行されるものである装置。
【請求項１９】
請求項１８記載の装置において、前記複数の酸素飽和度レベルは所定の固定された酸素飽和度レベルである装置。
【手続補正２】
【補正対象書類名】明細書
【補正対象項目名】０００２
【補正方法】変更
【補正の内容】
【０００２】
患者看護プロトコルに関する医療従事者の訓練は、実際に患者と接触することを医療従事者に許可する前に行うことが望ましいが、教科書とフラッシュカードでは、実地練習で得られる重要な利点を学生に提供することができない。一方、実際の患者への医療処置を経験の浅い学生に許可して実地練習できるようにすると患者にリスクが生じるため、これも現実的な代替案とは見なせない。これらの要因から、患者看護に関する教育は、マネキン（人体模型）などのシミュレータに医療器具を使って患者看護活動を行い実施されることが多い。そのようなシミュレータの例としては、米国特許出願第１１／９５２，５５９号、米国特許出願第１１／９５２，６０６号、米国特許出願第１１／９５２，６３６号、米国特許出願第１１／９５２，６６９号、米国特許出願第１１／９５２，６９８号、米国特許第７，１１４，９５４号、米国特許第６，７５８，６７６号、米国特許第６，５０３，０８７号、米国特許第６，５２７，５５８号、米国特許第６，４４３，７３５号、米国特許第６，１９３，５１９号、および米国特許第５，８５３，２９２号などに開示されたものがあり、この参照によりこれら各々の全体が本明細書に組み込まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００７／００８７３１４号明細書
（特許文献２）  国際公開第２００９／０８８３０４号
（特許文献３）  米国特許第６０６８６０２号明細書
（特許文献４）  米国特許第４３５１３４４号明細書